(57)【要約】      （修正有）【課題】大小様々な茎径を有する多種の造花を、その茎径に関係なく壁面に飾ることができ、その結果、デザイン性を向上し、且つ作業性の優れた造花用壁面構造体を提供する。【解決手段】造花用壁面構造体は、略円筒形状の周壁２２を有し、上面２０に造花の茎部を挿入させる円孔２１のあるアタッチメント２と、アタッチメントを底面側から嵌合するための複数の支持部が形成されたプレートとを備える。アタッチメントの円孔には、造花の茎部を弾性力により把持するために、上面から下方に向かって所定長さで延出し、且つ円孔の円周方向に沿って複数で配置された複数の把持爪２３が一体形成され、把持爪は、周壁２２の中心軸２Ａ側に向かって傾斜している、この構成により、造花用壁面構造体は、大小様々な茎径を有する多種の造花を、その茎径に関係なく壁面に飾ることができ、その結果、デザイン性を向上できる。【選択図】図２
2018047142.tif 000002
【特許請求の範囲】
【請求項１】
装飾用の造花を壁面に設置するための造花用壁面構造体であって、
略円筒形状の周壁を有し、上面に造花の茎部を挿入させる円孔のあるアタッチメントと
、
前記アタッチメントを底面側から嵌合するための複数の支持部が形成されたプレートと
、を備え、
前記アタッチメントの円孔には、造花の茎部を弾性力により把持するために、前記上面
から下方に向かって所定長さで延出し、且つ前記円孔の円周方向に沿って複数で配置され
た複数の把持爪が一体形成され、当該把持爪は、前記周壁の中心軸側に向かって傾斜して
いる、ことを特徴とする造花用壁面構造体。
【請求項２】
前記アタッチメントの外周面の底面側には、前記支持部と嵌合するための凸部が、その
円周方向に沿って複数形成され、
前記アタッチメントの前記周壁の底面側には、隣り合う前記凸部の間に、底面から上方
に向かって延びた複数のスリット部が形成される、ことを特徴とする請求項１記載の造花
用壁面構造体。
【請求項３】
前記プレートの支持部は、前記アタッチメントを底面側から着脱可能に嵌合させるため
に、複数の立設壁が上面視で円形状に配置されたものであり、
当該立設壁には、前記アタッチメントの前記凸部を嵌め込むための開口部が形成される
、ことを特徴とする請求項２記載の造花用壁面構造体。
【請求項４】
前記プレートには、さらに、造花の茎部を挟持するための複数の挟持爪が、前記立設壁
の外周に、上面視で円状に立設配置される、ことを特徴とする請求項３記載の造花用壁面
構造体。
【請求項５】
前記把持爪は、前記円孔の円周方向に沿って９０度の等間隔で配置される、ことを特徴
とする請求項１に記載の造花用壁面構造体。
【請求項６】
前記把持爪の造花の把持面側には、複数の段差部が形成されている、ことを特徴とする
請求項１に記載の造花用壁面構造体。
【発明の詳細な説明】
【技術分野】
【０００１】
本発明は、壁面などに造花を飾る際に用いる造花用壁面構造体に関する。
【背景技術】
【０００２】
近年、建物や構築物の壁面に沿って緑を設置する壁面緑化が盛んになってきている。こ
の壁面緑化には、実際の植物を用いる場合のみではなく、装飾用の造花を用いる場合もあ
る。造花を用いるメリットとしては、軽量であり、水やりなど管理維持に手間を要さず、
そのため、メンテナンスコストを低減できるなどが挙げられる。
【０００３】
そして、このような装飾用の造花の壁面への保持構造に関しては様々な技術が開示され
、例えば、茎部に設けられたキーが挿入係止される受キーを用い、造花を壁面に簡易に固
定して、かつ、迅速に取り外すことができる装飾・展示装置が開示されている（例えば、
特許文献１参照）。
【０００４】
また、造花を花瓶に挿す際、その位置が動かないように保持するための複数の把持爪を
設けた造花用の花立て具も開示されている（例えば、特許文献２参照）。
【先行技術文献】
【特許文献】
【０００５】
【特許文献１】特開２０１５−１６０３１１号公報
【特許文献２】特開平８−１７３２９０号公報
【発明の概要】
【発明が解決しようとする課題】
【０００６】
一般的に販売されている装飾用の造花は、その植物の種類などに応じて大小様々な茎径
を有している。しかしながら、従来、このような大小様々な造花に茎径に関係なく、造花
を壁面に飾ることができる造花用構造体がないという問題がある。そして、その結果、壁
面に飾ることができる造花の種類が限定され、デザイン性が劣ったり、微妙なデザイン変
更が困難になるという問題もある。
【０００７】
また、上記特許文献１に示す装飾・展示装置では、当該装置専用のキーを取り付けた造
花を購入する必要があり、汎用性が低いうえにコストを要するという問題がある。
【０００８】
さらに、壁面に造花を装飾する際には、造花以外の部品点数をできるだけ最小限に抑え
ることで作業性を良くする必要性もある。
【０００９】
本発明は、上記課題に鑑みてなされたものであり、大小様々な茎径を有する多種の造花
を、その茎径に関係なく壁面に飾ることができ、その結果、デザイン性を向上し、且つ作
業性の極めて優れた造花用壁面構造体を提供することを目的とする。
【課題を解決するための手段】
【００１０】
上記目的を達成するために本発明は、装飾用の造花を壁面に設置するための造花用壁面
構造体であって、略円筒形状の周壁を有し、上面に造花の茎部を挿入させる円孔のあるア
タッチメントと、前記アタッチメントを底面側から嵌合するための複数の支持部が形成さ
れたプレートと、を備え、前記アタッチメントの円孔には、造花の茎部を弾性力により把
持するために、前記上面から下方に向かって所定長さで延出し、且つ前記円孔の円周方向
に沿って複数で配置された複数の把持爪が一体形成され、当該把持爪は、前記周壁の中心
軸側に向かって傾斜していることを特徴とする。
【００１１】
また、この造花用壁面構造体において、前記アタッチメントの外周面の底面側には、前
記支持部と嵌合するための凸部が、その円周方向に沿って複数形成され、前記アタッチメ
ントの前記周壁の底面側には、隣り合う前記凸部の間に、底面から上方に向かって延びた
複数のスリット部が形成されることが好ましい。
【００１２】
また、この造花用壁面構造体において、前記プレートの支持部は、前記アタッチメント
を底面側から着脱可能に嵌合させるために、複数の立設壁が上面視で円形状に配置された
ものであり、当該立設壁には、前記アタッチメントの前記凸部を嵌め込むための開口部が
形成されることが好ましい。
【００１３】
また、この造花用壁面構造体において、前記プレートには、さらに、造花の茎部を挟持
するための複数の挟持爪が、前記立設壁の外周に、上面視で円状に立設配置されることが
好ましい。
【００１４】
また、この造花用壁面構造体において、前記把持爪は、前記円孔の円周方向に沿って９
０度の等間隔で配置されることが好ましい。
【００１５】
また、この造花用壁面構造体において、前記把持爪の造花の把持面側には、複数の段差
部が形成されていることが好ましい。
【発明の効果】
【００１６】
本発明に係る造花用壁面構造体は、略円筒形状の周壁を有し、上面に造花の茎部を挿入
させる円孔のあるアタッチメントと、アタッチメントを底面側から嵌合するための複数の
支持部が形成されたプレートとを備える。このアタッチメントの円孔には、造花の茎部を
弾性力により把持するために、上面から下方に向かって所定長さで延出し、且つ円孔の円
周方向に沿って複数で配置された複数の把持爪が一体形成され、当該把持爪は、周壁の中
心軸側に向かって傾斜している。この構成により、本願発明に係る造花用壁面構造体では
、大小様々な茎径を有する多種の造花を、その茎径に関係なく壁面に飾ることができ、そ
の結果、デザイン性を向上し、且つ作業性の優れたものとなる。
【図面の簡単な説明】
【００１７】
【図１】本発明の実施の形態に係る造花用壁面構造体の斜視図である。
【図２】（ａ）同上造花用壁面構造体に用いるアタッチメントの平面図、（ｂ）同上アタッチメントの斜視図、（ｃ）同上アタッチメントの内部構造を説明するための部分断面斜視図、（ｄ）同上アタッチメントのＡ−Ａ線拡大断面図、（ｅ）同上アタッチメントのＢ−Ｂ線断面図である。
【図３】（ａ）同上造花用壁面構造体に用いるプレートの平面図、（ｂ）同上プレートのＣ線の拡大斜視図である。
【図４】（ａ）同上アタッチメントを同上プレートの支持部に嵌合させた状態を示す上面図、（ｂ）その斜視図である。
【図５】（ａ）及び（ｂ）同上プレートの挟持爪に造花を挟持させた写真図である。
【図６】（ａ）乃至（ｄ）同上造花用壁面構造体に使用される大小様々な茎径を有する造花の写真図である。
【発明を実施するための形態】
【００１８】
本発明の実施の形態に係る造花用壁面構造体について図面を参照して説明する。この造
花用壁面構造体は、建物の室内や外壁、構築物の壁面などに沿って装飾用の造花を設置（
壁面緑化）するために用いられ、デザイン性の向上やリラックス効果などが期待されてい
る。
【００１９】
最初に、造花用壁面構造体の全体構造に関して図１を参照して説明する。図１に示すよ
うに、造花用壁面構造体１は、アタッチメント２とプレート３とを備え、造花の茎部を保
持させたアタッチメント２を、壁面などに取り付けられたプレート３に取り付けることで
造花を壁面に設置するものである。
【００２０】
次に、アタッチメント２の構造に関して図２を参照して説明する。アタッチメント２は
、図２に示すように、ＡＢＳ樹脂などの合成樹脂で成形され、上面２０に造花の茎部を挿
入させる円孔２１を有して、その周壁２２が略円筒形状を有している。円孔２１は、大小
様々な茎径の造花を挿入できるよう、市販されている造花の茎部の径より大きな直径を有
し、本実施の形態においては例えば直径８ｍｍで形成されている。
【００２１】
アタッチメント２の円孔２１には、図２（ｃ），（ｄ）に示すように、造花の茎部を弾
性力により把持するために、アタッチメント２の上面２０から下方に向かって所定長さ（
例えば３０ｍｍ程度）で延出し、且つ円孔２１の円周方向に沿って複数で配置された把持
爪２３が一体形成されている。この把持爪２３は、また、図２（ｄ）に示すように、水平
断面が円弧状で形成されており、さらに、図２（ｅ）に示すように、周壁２２の中心軸２
Ａ側に向かって傾斜している。なお、本実施の形態では、２対４本の把持爪２３が、円孔
２１の円周方向に沿って９０度の等間隔で配置されている。この構造により、円孔２１に
挿入された造花は、その茎径の大小に関係なく、把持爪２３から受ける適度な弾性力によ
って確実に押圧・把持される。
【００２２】
把持爪２３の造花を把持する把持面には、図２（ｅ）に示すように、複数の段差部２４
が形成される。この構造により、円孔２１に挿入される造花の茎径が大小様々であったと
しても、その茎部を、鉤状に形成された段差部２４で、より確実に把持・係止することが
可能となる。なお、この段差部２４は必須の構成ではない。
【００２３】
アタッチメント２の外周面の底面側には、図２（ｂ）に示すように、プレート３の支持
部と嵌合するための凸部２５が、その円周方向に沿って複数形成される。また、アタッチ
メント２の周壁２２の底面側には、隣り合う凸部２５の間に、底面から上方に向かって延
びた複数のスリット部２６が形成されている。この構造により、アタッチメント２の底面
側の周壁２２が、内側方向に撓ることができ、アタッチメント２の取り付け・取り外し時
における作業性を向上できる。なお、本実施の形態に係るアタッチメント２は、例えば、
高さ５０ｍｍ、直径１８ｍｍ程度の大きさであり、周壁２２の厚さは例えば２ｍｍである
。
【００２４】
次に、プレート３の構造に関して図３を参照して説明する。プレート３は、ＡＢＳ樹脂
などの合成樹脂で形成され、例えば図３（ａ）に示すような略板形状を有し、複数の支持
部３１が一面側に形成される。
【００２５】
より具体的には、支持部３１は、図３（ｂ）に示すように、アタッチメント２を底面側
から着脱可能に嵌合させるために、複数の立設壁３１ａが上面視で円形状になるように配
置されて構成される。そして、この立設壁３１ａには、アタッチメント２の凸部２５を嵌
め込むための開口部３１ｂが形成されている。また、隣り合う立設壁３１ａの間にはスリ
ット状の隔壁３２が形成されている。なお、本実施の形態では、２対４本の立設壁３１ａ
が、円周方向に沿って９０度の等間隔となるようにプレート３に一体形成されている。
【００２６】
この構造により、プレート３の立設壁３１ａがアタッチメント２の着脱時において外側
方向に撓ることが可能となり、作業性が良いものとなる。また、図４に示すように、造花
を把持したアタッチメント２の凸部２５をプレート３の開口部３１ｂに嵌合することで、
アタッチメント２をプレート３に確実に固定できる。なお、立設壁３１ａ間に形成される
スリット状の隔壁３２に対しても、アタッチメント２の凸部２５を挿通することができる
構成となっている。
【００２７】
また、プレート３には、図３（ｂ）に示すように、造花の茎部を挟持するための複数の
挟持爪３３が、立設壁３１ａの外周に、上面視で円状に立設配置される。この挟持爪３３
には、図５に示すように、例えばシダなど登攀性植物の造花の茎部が嵌め込まれ、この結
果、プレート３の表面全体を造花で覆うことができ、ディスプレイ性の更なる向上を図る
ことができる。
【００２８】
なお、プレート３の大きさは、例えば、長辺５０ｃｍ、短辺２５ｃｍ、厚さ２ｍｍ程度
の大きさとなり、複数のプレート３を組み合わせることにより、様々な形状の壁面に造花
用壁面構造体１を連続貼りすることができる。また、プレート３は軽量であるため、両面
シール、接着剤やシリコンを用いて、壁面の所望位置に貼り付けることができ、また、ネ
ジ穴３４も形成されているため、壁面に直接ネジ止めすることもできる。
【００２９】
次に、造花用壁面構造体１に用いられる造花に関して図６を参照して説明する。本実施
の形態の説明において造花とは、例えば、植物を模した合成樹脂製のものであり、ペパー
ミント、ビカクシダ、ドラセナブッシュ、ユーカリ、アイビー、ペパーミント、ポトス、
カラジウム、フィロデンドロンなどが挙げられる。また、造花用壁面構造体１に用いるこ
とができる造花４の茎径４ａ〜４ｄは、図６に示すように大小様々であり、例えば、茎径
７ｍｍ程度までの全ての造花を壁面に装飾することが可能となる。
【００３０】
次に、造花用壁面構造体１の設置手順に関して説明する。最初に、アタッチメント２の
円孔２１の把持爪２３に造花の茎部を嵌入させる工程を行う。そして、アタッチメント２
を壁面に取り付けられたプレート３の支持部３１の好みの箇所に嵌合させる工程を行う。
また、必要であれば、プレート３の挟持爪３３にも植物の茎部を挟持させる工程も含む場
合がある。これらの工程により、造花用壁面構造体１では、造花を簡単に壁面などに飾り
付けることが可能となり、その作業性が極めて優れたものとなる。なお、プレート３を壁
面に設置する前に造花を把持したアタッチメント２を予め嵌合させておき、このプレート
３を壁面に貼り付けても良い。
【００３１】
以上の説明のように、本実施の形態に係る造花用壁面構造体１は、略円筒形状の周壁２
２を有し、上面２０に造花の茎部を挿入させる円孔２１のあるアタッチメント２と、アタ
ッチメント２を底面側から嵌合するための複数の支持部３１が形成されたプレート３とを
備える。アタッチメント２の円孔２１には、造花の茎部を弾性力により把持するために、
上面２０から下方に向かって所定長さで延出し、且つ円孔２１の円周方向に沿って複数で
配置された複数の把持爪２３が一体形成され、把持爪２３は、周壁２２の中心軸２Ａ側に
向かって傾斜している。
【００３２】
このため、本実施の形態に係る造花用壁面構造体１では、大小様々な茎径を有する多種
の造花を、その茎径に関係なく壁面に飾ることができ、その結果、デザイン性を向上し、
且つ作業性の優れたものとなる。
【００３３】
また、アタッチメント２を交換するだけで、極めて容易に造花を交換することができ、
作業効率が良い。さらに、アタッチメント２の凸部２５をプレート３の開口部３１ｂに嵌
合することで、アタッチメント２が容易に抜けなくなる。さらにまた、アタッチメント２
の周壁２２にスリット部２６、プレート３の支持部３１にはスリット状の隔壁３２が設け
られているために、アタッチメント２の着脱時においてアタッチメント２の周壁２２及び
プレート３の支持部３１が内外方向に撓るため取り外しが容易となる。
【００３４】
そして、アタッチメント２とプレート３と造花とを組み合わせても全体としては非常に
軽量であるために、壁面のあらゆる場所に造花を飾ることができ、造花であるために植物
の交換も頻繁にする必要がなく、メンテナンスに手間を要しない。この結果、造花用壁面
構造体１では、多種多様な造花を、その茎径に関係なく自由に、簡単に、確実に取り付け
ることができ、従来の造花を用いた壁面装飾とは全くレベルの違う、極めてデザイン性の
高い作品作りが可能となる。
【００３５】
なお、本発明は、上記実施の形態の構成に限られず、発明の趣旨を変更しない範囲で種
々の変形が可能である。例えばアタッチメント２の形状は、略円筒形状に限定されるもの
ではなく、角筒形状など他の形状でもよい。また、造花用壁面構造体１は、壁面のみでな
く床面や、軽量であるために天井面にも設置できることは言うまでもない。
【符号の説明】
【００３６】
１  造花用壁面構造体
２  アタッチメント
２Ａ  中心軸
３  プレート
２０  上面
２１  円孔
２２  周壁
２３  把持爪
２４  段差部
２５  凸部
２６  スリット部
３１  支持部
３１ａ  立設壁
３１ｂ  開口部
３２  隔壁
３３  挟持爪
３４  ネジ穴
【図１】
2018047142.tif 000003
【図２】
2018047142.tif 000004
【図３】
2018047142.tif 000005
【図４】
2018047142.tif 000006
【図５】
2018047142.tif 000007
【図６】
2018047142.tif 000008
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
装飾用の造花を壁面に設置するための造花用壁面構造体であって、
略円筒形状の周壁を有し、上面に造花の茎部を挿入させる円孔のあるアタッチメントと、
前記アタッチメントを底面側から嵌合するための複数の支持部が形成されたプレートと、を備え、
前記アタッチメントの円孔には、造花の茎部を弾性力により把持するために、前記上面から下方に向かって所定長さで延出し、且つ前記円孔の円周方向に沿って複数で配置された複数の把持爪が一体形成され、当該把持爪は、前記周壁の中心軸側に向かって傾斜し、
前記把持爪は、前記円孔の円周方向に沿って９０度の等間隔で配置される、ことを特徴とする造花用壁面構造体。
【請求項２】
前記アタッチメントの外周面の底面側には、前記支持部と嵌合するための凸部が、その円周方向に沿って複数形成され、
前記アタッチメントの前記周壁の底面側には、隣り合う前記凸部の間に、底面から上方に向かって延びた複数のスリット部が形成される、ことを特徴とする請求項１記載の造花用壁面構造体。
【請求項３】
前記プレートの支持部は、前記アタッチメントを底面側から着脱可能に嵌合させるために、複数の立設壁が上面視で円形状に配置されたものであり、
当該立設壁には、前記アタッチメントの前記凸部を嵌め込むための開口部が形成される、ことを特徴とする請求項２記載の造花用壁面構造体。
【請求項４】
前記プレートには、さらに、造花の茎部を挟持するための複数の挟持爪が、前記立設壁の外周に、上面視で円状に立設配置される、ことを特徴とする請求項３記載の造花用壁面構造体。
【請求項５】
前記把持爪の造花の把持面側には、複数の段差部が形成されている、ことを特徴とする請求項１に記載の造花用壁面構造体。
【手続補正２】
【補正対象書類名】明細書
【補正対象項目名】００１０
【補正方法】変更
【補正の内容】
【００１０】
上記目的を達成するために本発明は、装飾用の造花を壁面に設置するための造花用壁面構造体であって、略円筒形状の周壁を有し、上面に造花の茎部を挿入させる円孔のあるアタッチメントと、前記アタッチメントを底面側から嵌合するための複数の支持部が形成されたプレートと、を備え、前記アタッチメントの円孔には、造花の茎部を弾性力により把持するために、前記上面から下方に向かって所定長さで延出し、且つ前記円孔の円周方向に沿って複数で配置された複数の把持爪が一体形成され、当該把持爪は、前記周壁の中心軸側に向かって傾斜し、前記把持爪は、前記円孔の円周方向に沿って９０度の等間隔で配置されることを特徴とする。
【手続補正３】
【補正対象書類名】明細書
【補正対象項目名】００１４
【補正方法】削除
【補正の内容】